(57)【要約】【課題】設置面積の拡大を最小限に抑えつつ、本体装置から離間したＬＣＣの収納部がＬＣＣの前面側に露出することを防止し、ＬＣＣの破損やユーザの損傷を未然に防止する。【解決手段】ＬＣＣ２００Ａ〜２００Ｃにおいて、載置板２０１とともに収納部２０８を構成する収納板２０７Ｄの一部に、ストッパ機構２１０のストッパ爪２１０Ａを選択的に係合させる。ストッパ機構２１０は、ソレノイド２１０Ｂを備えている。ＬＣＣ２００Ａ〜２００Ｃを画像形成装置１００の側面から離間させる旨の信号が画像形成装置１００の制御部から入力された際に、ソレノイド２１０Ｂがオンされてストッパ爪２１０Ａが収納板２０７Ｄの一部に係合し、収納部２０８を前面側に引き出すことができなくなる。【選択図】図２
2006103827.tif 000002
【特許請求の範囲】
【請求項１】
用紙上に画像を形成する画像形成部を収納した本体装置と、
前記本体装置の側面に着脱自在に配置され、画像形成部に供給すべき用紙を収納するとともに外部に対して開閉自在にされた収納部を有する給紙装置と、
前記本体装置の側面に対する前記給紙装置の着脱状態を検出する検出器と、
前記検出器が前記本体装置の側面から前記給紙装置が離間したことを検出した際に、前記収納部の外部に対する開放を禁止する開放規制部材と、を備えたことを特徴とする画像形成装置。
【請求項２】
前記本体装置と前記給紙装置との装着状態を選択的に固定するロック機構を備え、前記検出器は前記ロック機構の状態に基づいて前記本体装置の側面に対する前記給紙装置の着脱状態を検出することを特徴とする請求項１に記載の画像形成装置。
【請求項３】
前記ロック機構は、非通電時に前記本体装置と前記給紙装置との装着状態を固定し、通電時に該固定を解除する駆動部材を備えたことを特徴とする請求項２に記載の画像形成装置。
【請求項４】
用紙上に画像を形成する画像形成部を収納した本体装置と、
前記本体装置の側面に着脱自在に配置され、画像形成部に供給すべき用紙を収納するとともに外部に対して開閉自在にされた収納部を有する給紙装置と、
前記給紙装置に設けられ、非通電時に前記収納部の開放を規制し、通電時に該規制を解除する固定部材と、
前記本体装置の側面に前記給紙装置が装着されている間に前記本体装置の電源を前記給紙装置に接続し、前記本体装置の側面から前記給紙装置が離間した時に前記本体装置から前記給紙装置への電力供給を切断する接続部材と、を備えたことを特徴とする画像形成装置。
【発明の詳細な説明】
【技術分野】
【０００１】
この発明は、本体装置の側面に大容量給紙装置（以下、ＬＣＣという。）を着脱自在に配置した画像形成装置に関し、特に、複数のＬＣＣを上下方向に積載して本体装置の側面に配置した画像形成装置に関する。
【背景技術】
【０００２】
近年、画像形成装置は、機能の多様化、及び、印刷速度の高速化の要請が強い。このため、コピアモード、プリンタモード及びＦＡＸモードなどの複数種類の処理を可能にした複合機が製品化されており、８０枚／分の高速印刷が可能な装置の開発が進んでいる。
【０００３】
このような多機能で高速印刷が可能な画像形成装置は、プリンタとして複数の画像出力装置において共用され、夜間や休日等のユーザがいない状況でもファクシミリ装置として動作するため、大量の用紙が使用される。このため、給紙部において、多量の用紙を収納しておく必要がある。
【０００４】
上記の画像形成装置では、本体装置の内部に装着される給紙カセットの大容量化とともに、オプション機能として本体装置の外部に給紙カセットを追加して装着できるようにしたものがあり、特に、本体装置の側面にＬＣＣを配置できるようにしたものもある。
【０００５】
ＬＣＣは、一般に、用紙の収納部を前面側に挿脱自在に備えており、ＬＣＣ内に用紙を補充する際には、収納部が前面側に引き出される。
【０００６】
ところが、一般に画像形成装置は、本体装置の最下部に装着された給紙カセットに対する用紙の補充を装置の前面側から行うようにした所謂フロントローディング方式が採用されており、給紙カセットを大容量化又は給紙カセットを追加すると装置の全高が高くなる。このため、通常、本体装置の上面に設けられている操作パネルに対するユーザの操作性が悪化する。
【０００７】
また、本体装置の側面に配置されるＬＣＣは、本体装置内の用紙搬送路に用紙を導くものであるため、大容量化によってＬＣＣ内の用紙搬送路が複雑になり、紙詰まり等の搬送不良を生じ易い。このため、ＬＣＣの容量としては、概ね２，０００〜４，０００枚程度が限界とされている。
【０００８】
そこで、ＬＣＣを上下方向に複数段重ねて本体装置の側面に配置することにより、用紙搬送路の複雑化を生じることなく用紙の収納枚数を増加するようにした画像形成装置が提案されている（例えば、特許文献１参照。）。
【０００９】
また、複数のＬＬＣを本体装置の側方に横方向に並列配置することにより、用紙の収納枚数を増加させるようにした画像形成装置も提案されている（例えば、特許文献２参照。）。
【特許文献１】特開平０５−１９３７６６号公報
【特許文献２】特開２０００−２７４６７５号公報
【発明の開示】
【発明が解決しようとする課題】
【００１０】
しかしながら、特許文献２に開示された装置のように、複数のＬＣＣを並列に配置すると、用紙を補充する際の作業性は向上するが、ＬＣＣを含めた画像形成装置の設置面積が大きくなり、設置場所の選択が制限される問題がある。
【００１１】
この点で、特許文献１に開示された装置のように、複数のＬＣＣを上下方向に積載すると、設置面積の拡大が最小限に抑えられ、設置場所の選択の制限が緩和される。一方で、ＬＣＣと本体装置との間におけるジャム処理等の作業時に、本体装置から離間した複数のＬＣＣが不安定になり、上部を前面方向にして傾斜したＬＣＣから収納部が前面側に露出し、ユーザの身体に衝突したり、複数積載されたＬＣＣがさらに不安定になって上部のＬＣＣが落下して装置が破損したり、ユーザが損傷する等の問題がある。
【００１２】
この発明の目的は、設置面積の拡大を最小限に抑えつつ、本体装置から離間したＬＣＣの収納部がＬＣＣの傾斜によって前面側に露出することを防止し、ＬＣＣの破損やユーザの損傷を未然に防止することができる画像読取装置を提供することにある。
【課題を解決するための手段】
【００１３】
この発明は、上記の課題を解決するための手段として、以下の構成を備えたものである。
【００１４】
（１）用紙上に画像を形成する画像形成部を収納した本体装置と、
前記本体装置の側面に着脱自在に配置され、画像形成部に供給すべき用紙を収納するとともに外部に対して開閉自在にされた収納部を有する給紙装置と、
前記本体装置の側面に対する前記給紙装置の着脱状態を検出する検出器と、
前記検出器が前記本体装置の側面から前記給紙装置が離間したことを検出した際に、前記収納部の外部に対する開放を禁止する開放規制部材と、を備えたことを特徴とする。
【００１５】
この構成においては、本体装置の側面に配置された給紙装置が、本体装置から離間した際に、給紙装置において外部に開閉自在にされた収納部の開放が規制される。したがって、本体装置に支持されていない状態では、給紙装置の収納部が外部に開放されることがなく、給紙装置の重心が偏って不安定な状態になることがない。
【００１６】
例えば、本体装置の側面に複数のＬＣＣを上下方向に積載して配置した場合、ＬＣＣは本体装置の側面に装着することによって本体装置に支持された状態となり、転倒の危険性が抑制されている。しかし、画像形成処理中に紙詰まりが発生した場合のジャム処理作業のために用紙搬送路を開放する等のために、ＬＣＣを画像形成装置から離間させると、ＬＣＣは本体装置に支持されなくなる。この状態でＬＣＣにおいて用紙を収納している収納部が外部に開放されると、ＬＣＣの重心のバランスが崩れて転倒する虞がある。
【００１７】
そこで、ＬＣＣが本体装置に支持されていない状態では、収納部が開放されないようにすることで、ＬＣＣの安定性が損なわれないようにしてＬＣＣの転倒を防止する。
【００１８】
（２）前記本体装置と前記給紙装置との装着状態を選択的に固定するロック機構を備え、前記検出器は前記ロック機構の状態に基づいて前記本体装置の側面に対する前記給紙装置の着脱状態を検出することを特徴とする。
【００１９】
この構成においては、本体装置と給紙装置との装着状態を選択的に固定するロック機構に連動して、開放規制部材が動作する。したがって、給紙装置が本体装置に支持されているか否かに応じて直ちに開放規制部材が動作し、給紙装置が本体装置に支持されていない状態での収納部の開放が確実に禁止される。
【００２０】
（３）前記ロック機構は、非通電時に前記本体装置と前記給紙装置との装着状態を固定し、通電時に該固定を解除する駆動部材を備えたことを特徴とする。
【００２１】
この構成においては、ロック機構は、ソレノイド等の駆動部材に通電されていない状態では本体装置と給紙装置との装着状態を固定しており、駆動部材に通電されると本体装置と給紙装置との装着状態を解除する。したがって、駆動部材に対する通電状態に基づいて検出器が本体装置と給紙装置との装着状態を容易かつ確実に検出する。
【００２２】
（４）用紙上に画像を形成する画像形成部を収納した本体装置と、
前記本体装置の側面に着脱自在に配置され、画像形成部に供給すべき用紙を収納するとともに外部に対して開閉自在にされた収納部を有する給紙装置と、
前記給紙装置に設けられ、非通電時に前記収納部の開放を規制し、通電時に該規制を解除する固定部材と、
前記本体装置の側面に前記給紙装置が装着されている間に前記本体装置の電源を前記給紙装置に接続し、前記本体装置の側面から前記給紙装置が離間した時に前記本体装置から前記給紙装置への電力供給を切断する接続部材と、を備えたことを特徴とする。
【００２３】
この構成においては、給紙装置は、本体装置の側面に塗装着されている間に接続部材を介して本体装置から電源の供給を受ける。給紙装置には通電時に収納部を開放可能な状態にする固定部材が設けられており、給紙装置が本体装置の側面に装着されている場合には、本体装置から固定部材に通電することによって収納部が開放可能になる。給紙装置が本体装置の側面から離間すると接続部材が本体装置から給紙装置への電力供給を切断する。したがって、給紙装置が本体装置の側面から離間している状態では、固定部材は非通電状態になり、収納部の開放が固定部材によって規制される。
【発明の効果】
【００２４】
この発明によれば、以下の効果を奏することができる。
【００２５】
（１）本体装置の側面に配置された給紙装置が本体装置から離間した際に、給紙装置において外部に開閉自在にされた収納部の開放を規制することにより、本体装置に支持されていない状態で給紙装置の収納部が外部に開放されることを規制し、給紙装置の重心が偏って不安定な状態になることによる転倒等の事故の発生を未然に防止することができる。
【００２６】
（２）本体装置と給紙装置との装着状態を選択的に固定するロック機構に連動して、開放規制部材を動作させることにより、給紙装置が本体装置に支持されているか否かに応じて直ちに開放規制部材を動作させることができ、給紙装置が本体装置に支持されていない状態で収納部が開放されることを確実に阻止できる。
【００２７】
（３）駆動部材に通電されていない状態ではロック機構が本体装置と給紙装置との装着状態を固定するとともに、駆動部材に通電されるとロック機構が本体装置と給紙装置との装着状態を解除することにより、駆動部材に対する通電状態に基づいて開放規制部材を容易かつ確実に動作させることができる。
【００２８】
（４）給紙装置が本体装置の側面から離間した際に本体装置から給紙装置への電力供給を切断することにより、給紙装置が本体装置の側面から離間している状態では固定部材を非通電状態にして収納部の開放を規制することができる。これによって、本体装置の側面に対する給紙装置の着脱状態を検出することなく、簡単な構成で収納部が開放されることによる給紙装置の転倒等の事故を防止することができる。。
【発明を実施するための最良の形態】
【００２９】
以下に、この発明の最良の実施形態に係る画像形成装置を図面を参照しつつ詳細に説明する。
【００３０】
図１は、この発明の実施形態に係る画像形成装置の構成を示す正面断面の略図である。この発明の本体装置である画像形成装置１００は、上下方向に３台積載された給紙装置としてのＬＣＣ２００Ａ〜２００Ｃを、一方の側面に着脱自在に配置して構成されている。
【００３１】
画像形成装置１００は、電子写真方式の画像形成プロセスを経て用紙Ｐに画像を形成する。画像形成装置１００は、底部に給紙カセット１０２，１０３を備え、上部に排紙トレイ１０４を備える。給紙カセット１０２，１０３と排紙トレイ１０４との間に用紙搬送路Ｆ１が設けられる。用紙搬送路Ｆ１の一部には、感光体ドラム１０５が回転自在に配置されている。
【００３２】
感光体ドラム１０５の周囲には、帯電装置１０６、光走査ユニット１０７、現像ユニット１０８、転写装置１０９、クリーニングユニット１１０、および図示しない除電装置が配設される。帯電装置１０６は、感光体ドラム１０５の外周面を所定の電位に帯電させる。光走査ユニット１０７は、外部から入力された画像データに基づいて感光体ドラム１０５の外周面に静電潜像を形成する。現像ユニット１０８は、感光体ドラム１０５の外周面上にトナーを供給して静電潜像を可視化し、トナー像を形成する。
【００３３】
用紙搬送路Ｆ１において、感光体ドラム１０５より用紙の搬送方向の上流側には、レジストローラ１１１が配置される。レジストローラ１１１は、感光体ドラム１０５と転写装置１０９とが対向する転写位置に用紙を供給するタイミングを調整する。転写装置１０９は、感光体ドラム１０５が担持するトナー像を用紙に転写する。用紙搬送路Ｆ１において、感光体ドラム１０５より下流側には、定着装置１１２が配置される。定着装置１１２は、トナー像が転写された用紙を加熱及び加圧し、表面にトナー像を定着させる。
【００３４】
画像形成装置１００は、一方の面に画像を形成された用紙の裏面にも画像を形成するため、用紙の表裏を反転させて転写位置に搬送する反転搬送路Ｆ２を備える。さらに、画像形成装置１００は、給紙カセット１０２，１０３と転写位置との間で用紙搬送路Ｆ１に合流する用紙搬送路Ｆ３を備える。用紙搬送路Ｆ３は、略水平に設けられる。
【００３５】
画像形成装置１００の側面に配置された各ＬＣＣ２００Ａ〜２００Ｃは、大容量の給紙カセットである。各ＬＣＣ２００Ａ〜２００Ｃは、互いに同一の構成を有し、互いに同一又は異なるサイズの用紙を収納する。各ＬＣＣ２００Ａ〜２００Ｃは、画像形成装置１００の側面に着脱自在に装着されている。
【００３６】
画像形成装置１００の内部には、各ＬＣＣ２００Ａ〜２００Ｃに対向する位置に、用紙搬送路Ｆ４〜Ｆ６が構成されている。各用紙搬送路Ｆ４〜Ｆ６は、一端が各ＬＣＣ２００Ａ〜２００Ｃの給紙部に連通し、他端が用紙搬送路Ｆ３に連通している。したがって、各ＬＣＣ２００Ａ〜２００Ｃから給紙された用紙は、各用紙搬送路Ｆ４〜Ｆ６及び用紙搬送路Ｆ３を経由して転写位置に搬送される。
【００３７】
また、画像形成装置１００において、ＬＣＣ２００Ａ〜２００Ｃが装着される側面には、ロック機構１０１が設けられている。ロック機構１０１は、ソレノイド１０１Ａ及びロック片１０１Ｂを含む。ソレノイド１０１Ａは、この発明の駆動部材であり、非通電時にロック片１０１ＢをＬＣＣ２００Ａに係合させ、画像形成装置１００の側面に対するＬＣＣ２００Ａの装着状態を維持する。ソレノイド１０１Ａは、通電時にロック片１０１ＢのＬＣＣ２００Ａに対する係合を解除し、画像形成装置１００の側面からＬＣＣ２００Ａを離間させることができるようにする。
【００３８】
なお、ＬＣＣ２００Ａ〜２００Ｃは、互いに物理的、電気的に接続されており、画像形成装置２００の側面に対して一体的に着脱される。したがって、単一のロック機構１０１のロック片１０１Ａが最上部のＬＣＣ２００Ａに選択的に係合することにより、３台のＬＣＣ２００Ａ〜２００Ｃの全てが一体的に画像形成装置１００の側面に固定された状態又は離間可能な状態になる。
【００３９】
ＬＣＣ２００Ａ〜２００Ｃは、画像形成装置１００の側面に装着されているか否かに拘らず、図示しない電源ケーブルを介して画像形成装置１００の電源部から常時給電されている。
【００４０】
図２は、上記画像形成装置に備えられる給紙装置の構成を示す正面図である。図３は、同給紙装置における収納部の開放状態を示す斜視図である。なお、図２及び図３においては、ＬＣＣ２００Ａについて説明するが、ＬＣＣ２００Ｂ及び２００ＣもＬＣＣ２００Ａと同様に構成されている。
【００４１】
この発明の給紙装置であるＬＣＣ２００Ａは、載置板２０１、ピックアップローラ２０２、フィードローラ２０３、リバースローラ２０４、排出口２０５、ペーパーガイド２０６等を備えている。
【００４２】
載置板２０１は、積層された多数枚の用紙を位置決めして収納する。載置板２０１は、リフトアップ機構によって、最上位に位置する用紙の上面が所定の高さになるように、ＬＣＣ２００Ａ内において昇降する。載置板２０１の周囲の４面には、収納板２０７Ａ〜２０７Ｄが配置されている。
【００４３】
ピックアップローラ２０２、フィードローラ２０３、リバースローラ２０４、排出口２０５及びペーパーガイド２０６は、上記給紙部を構成している。ピックアップローラ２０２は、上下方向に揺動自在に形成されたアームに取り付けられる。ピックアップローラ２０２は、給紙時に降下して、載置板２０１上に載置された用紙のうち最上位の用紙を用紙搬送方向の下流側に送り出す。
【００４４】
フィードローラ２０３及びリバースローラ２０４は、用紙搬送方向においてピックアップローラ２０２の下流側に配置される。フィードローラ２０３及びリバースローラ２０４は、用紙搬送路を挟んで上下に互いに圧接して配置される。フィードローラ２０３は、用紙搬送方向の下流側に用紙を搬送する方向に回転駆動される。一方、リバースローラ２０４は、用紙搬送方向の上流側に用紙を押し戻す方向にトルクリミッタを介して回転駆動される。ピックアップローラ２０２によって送り出された用紙は、フィードローラ２０３及びリバースローラ２０４とによって捌かれ、ペーパーガイド２０６を経由して１枚ずつ排出口２０５から外部へ排出される。
【００４５】
ＬＣＣ２００Ａには、この発明の開放規制部材であるストッパ機構２１０が備えられている。ストッパ機構２１０は、ストッパ爪２１０Ａ及びソレノイド２１０Ｂを含む。ソレノイド２１０Ｂは、通電時にストッパ爪２１０Ａを収納板２０７Ｄの一部に係合させ、非通電時に収納板２０７Ｄの一部に対するストッパ爪２１０Ａの係合を解除する。収納板２０７Ｄには、ストッパ爪２１０Ａが背面側から貫通する窓部２１０Ｃが形成されている。
【００４６】
図３に示すように、載置板２０１及び収納板２０７Ａ〜２０７Ｄの内側に、上面が開放した収納部２０８が構成される。収納部２０８内において、図示しないリフトアップ機構によって載置板２０１が昇降する。収納部２０８は、ガイドレール２０８Ａ，２０８Ｂによって給紙装置２００の前面側に出し入れ自在にされている。収納部２０８は、給紙装置２００の前面側に引き出された状態で外部に開放され、用紙の補充が可能になる。
【００４７】
なお、収納部２０８を構成する収納板２０７Ａの前面には、外装パネル２０７Ｅが固定される。
【００４８】
図４は、上記画像形成装置の制御部における要部の構成を示すブロック図である。画像形成装置１００の制御部３００は、ＲＯＭ３０２及びＲＡＭ３０３を備えたＣＰＵ３０１に、操作パネル３０４、ソレノイドドライバ３０５等を接続して構成されている。ＣＰＵ３０１には、インタフェースを介して給紙装置であるＬＣＣ２００Ａ〜２００Ｃの制御部４００を構成するＣＰＵ４０１が接続されている。ＣＰＵ４０１には、ＲＯＭ４０２及びＲＡＭ４０３とともに、ソレノイドドライバ４０４Ａ〜４０４Ｃが接続されている。
【００４９】
ソレノイドドライバ４０４Ａ〜４０４Ｃのそれぞれには、ＬＣＣ２００Ａ〜２００Ｃに備えられているストッパ機構２１０のソレノイド２１０Ｂのそれぞれが接続されている。
【００５０】
用紙搬送路Ｆ４〜Ｆ６の周辺において用紙が紙詰まりを生じ、ジャム解除作業時のために画像形成装置１００の側面からＬＣＣ２００Ａ〜２００Ｃを離間させる場合には、ユーザは操作パネル３０４において、画像形成装置１００の側面に対するＬＣＣ２００Ａ〜２００Ｃの固定の解除を指示する操作を行う。
【００５１】
操作パネル３０４は、画像形成装置１００の側面に対するＬＣＣ２００Ａ〜２００Ｃの固定の解除を指示する操作が行われると、その旨を表す固定解除信号をＣＰＵ３０１に出力する。ＣＰＵ３０１は固定解除信号が入力されると、ロック機構１０１のソレノイド１０１Ｂをオンし、ＬＣＣ２００Ａの一部に対するロック片１０１Ｂの係合を解除する。
【００５２】
これにともなって、ＣＰＵ３０１は、ＣＰＵ４０１に対して固定解除信号を出力する。ＣＰＵ４０１は、固定解除信号が入力されると、ソレノイド２１０Ｂをオンし、ストッパ爪２１０Ａを収納板２０７Ｄの一部に係合させる。
【００５３】
上記の構成により、ＬＣＣ２００Ａ〜２００Ｃが画像形成装置１００の側面から離間されると、ＬＣＣ２００Ａ〜２００Ｃに設けられたストッパ機構２１０のストッパ爪２１０Ａが収納板２０７Ｄの一部に係合し、収納部２０８を前面側に引き出すことができなくなる。これによって、ＬＣＣ２００Ａ〜２００Ｃが、画像形成装置１００の側面から離間し、画像形成装置１００によって支持されていない状態では、収納部２０８が給紙装置２００の前面側に引き出されて重心が前面側に変位することがなく、ＬＣＣ２００Ａ〜２００Ｃが不安定になることがない。
【００５４】
なお、ソレノイド１０１Ｂ及びソレノイド２１０Ｂに代えて、モータ等の他の駆動部材を用いることができる。
【００５５】
また、ＬＣＣ２００Ａ〜２００Ｃの少なくとも１つに、画像形成装置１００の側面に対する着脱状態を検出する検出器を備え、この検出器が画像形成装置１００の側面から離間したことを検出した際に、ソレノイド２１０Ｂをオンさせて収納部２０８をＬＣＣ２００Ａ〜２００Ｃの前面側に引き出すことができないようにしてもよい。
【００５６】
図５は、この発明の別の実施形態に係る画像形成装置の要部の構成を示す斜視図である。この実施形態に係る画像形成装置は、給紙装置である各ＬＣＣ２００Ａ〜２００Ｃに、この発明の固定部材であるストッパ機構２２０を備えている。
【００５７】
ストッパ機構２２０は、ストッパ爪２２０Ａを中央部において回転軸２２０Ｃによって回転自在に支持し、後端部にソレノイド２２０Ｂのアクチュエータ２２０Ｅ及びスプリング２２０Ｄを係止している。ソレノイド２２０Ｂの非通電時には、スプリング２２０Ｄの弾性力により、ストッパ爪２２０Ａの前端部が収納板２０７Ｄの一部に係合する。
【００５８】
ソレノイド２２０Ｂは、通電時にアクチュエータ２２０Ｅを介してストッパ爪２２０Ａの後端を下方に引き下げ、ストッパ爪２２０Ａの前端部の収納板２０７Ｄの一部に対する係合を解除する。
【００５９】
このようなストッパ機構２２０を備えたＬＣＣ２００Ａ〜２００Ｃは、図１に示すように上下方向に積層された際に互いに電気的に接続される。図１中破線で示すように、一例として、最下部に位置するＬＣＣ２００Ｃには、画像形成装置１００に対向する側面にプラグ２３０Ａを露出して備えている。一方、画像形成装置１００の側面には、プラグ２３０Ａに対向する位置にソケット２３０Ｂを露出して備えている。
【００６０】
なお、図１〜図４に示した画像形成装置に備えられている電源ケーブルは、この実施形態に係る画像形成装置には存在しない。
【００６１】
このプラグ２３０Ａ及びソケット２３０Ｂは、この発明の接続部材を構成しており、ＬＣＣ２００Ａ〜２００Ｃを画像形成装置１００の側面に装着した際に、互いに連結される。プラグ２３０Ａとソケット２３０Ｂとが連結されると、画像形成装置１００の電源がＬＣＣ２００Ａ〜２００Ｃに供給される。ＬＣＣ２００Ａ〜２００Ｃを画像形成装置１００の側面から離間させると、プラグ２３０Ａとソケット２３０Ｂとが分離し、画像形成装置１００の電源がＬＣＣ２００Ａ〜２００Ｃに供給されなくなる。
【００６２】
以上の構成により、用紙搬送路Ｆ４〜Ｆ６の周辺において用紙が紙詰まりを生じ、ジャム解除作業のために画像形成装置１００の側面からＬＣＣ２００Ａ〜２００Ｃを離間させると、ＬＣＣ２００Ａ〜２００Ｃに電源が供給されなくなり、ストッパ機構２２０のソレノイド２２０Ｂが通電状態にされることがない。したがって、ＬＣＣ２００Ａ〜２００Ｃが画像形成装置１００の側面から離間している場合には、ストッパ機構２２０によって収納部２０８をＬＣＣ２００Ａ〜２００Ｃの前面側に引き出すことができない状態に維持される。
【００６３】
これによって、ＬＣＣ２００Ａ〜２００Ｃが、画像形成装置１００の側面から離間し、画像形成装置１００によって支持されていない状態では、収納部２０８が給紙装置２００の前面側に引き出されて重心が前面側に変位することがなく、ＬＣＣ２００Ａ〜２００Ｃが不安定になることがない。
【図面の簡単な説明】
【００６４】
【図１】この発明の実施形態に係る画像形成装置の構成を示す正面断面の略図である。
【図２】上記画像形成装置に備えられる給紙装置の構成を示す正面図である。
【図３】同給紙装置における収納部の開放状態を示す斜視図である。
【図４】上記画像形成装置の制御部における要部の構成を示すブロック図である。
【図５】この発明の別の実施形態に係る画像形成装置の要部の構成を示す斜視図である。
【符号の説明】
【００６５】
１００  画像形成装置（本体装置）
１０１  ロック機構
１０１Ｂ  ソレノイド 
２００Ａ〜２００Ｃ  ＬＣＣ（給紙装置）
２０８  収納部
２１０  ストッパ機構（開閉規制部材）
【図１】
2006103827.tif 000003
【図２】
2006103827.tif 000004
【図３】
2006103827.tif 000005
【図４】
2006103827.tif 000006
【図５】
2006103827.tif 000007